(57)【要約】【課題】  製造コストを下げることができ、かつ、管の内外において有害生物を防除することができる、合成樹脂製の管の製造方法を提供する。【解決手段】  管１は、合成樹脂製であって、外層２、内層３および中間層４を有する管壁を備え、中間層４を除く外層２および内層３のみが、有害生物を防除する防除層からなる。この管１の製造方法は、外層２を、有害生物を防除する防除剤と、ベースとなる合成樹脂材料とを混練して成形するとともに、中間層４を、合成樹脂材料により成形して、これら外層２と中間層４とを備える管本体を形成し、かつ、内層３を、中間層４の内面となる前記管本体の内面に、有害生物を防除する防除剤を含有する塗布液を塗布してその塗布液を硬化させて被膜化して形成する。【選択図】  図１
2020008174.tif 000002
【特許請求の範囲】
【請求項１】
外層、内層および中間層を有する管壁を備え、前記中間層を除く前記外層および前記内層のみが、有害生物を防除する防除層からなる、合成樹脂製の管の製造方法であって、
前記外層を、有害生物を防除する防除剤と、ベースとなる合成樹脂材料とを混練して成形するとともに、前記中間層を、合成樹脂材料により成形して、これら外層と中間層とを備える管本体を形成し、かつ、
前記内層を、前記中間層の内面となる前記管本体の内面に、有害生物を防除する防除剤を含有する塗布液を塗布してその塗布液を硬化させて被膜化して形成する、合成樹脂製の管の製造方法。
【請求項２】
前記外層と前記中間層とを備える管本体を、ブロー成形により形成し、そのブロー成形時に、前記塗布液を内部に噴出することにより、その塗布液を前記管本体の内面に塗布して、前記内層を形成する、請求項１に記載の合成樹脂製の管の製造方法。
【発明の詳細な説明】
【技術分野】
【０００１】
この発明は、有害生物による被害を防ぐことができる合成樹脂製の管の製造方法に関するものである。
【背景技術】
【０００２】
従来、有害生物を防除する防除剤としての防蟻剤が混入された、合成樹脂製の波付管（管）があった（例えば、特許文献１参照）。この波付管は、単層構造であったり、外層と内層との二層構造であったりした。そして、単層構造の合成樹脂に、あるいは、二層構造における外層の合成樹脂に、防蟻剤としての、有機リン系化合物とか有機酸金属塩とかが混入された。
【先行技術文献】
【特許文献】
【０００３】
【特許文献１】実公平６−４６９８９号公報
【発明の概要】
【発明が解決しようとする課題】
【０００４】
ところで、前記従来の合成樹脂製の波付管（管）にあっては、単層構造の場合には、その単層構造の合成樹脂に混入された防除剤としての防蟻剤が、管全体に広がることから、その濃度を一定以上に保つだけの十分な量の防蟻剤を必要とし、コスト高となっていた。また、波付管が二層構造の場合には、その外層の合成樹脂に防蟻剤が混入されたが、内層の合成樹脂には防蟻剤が混入されないことから、波付管の内側に侵入した白蟻に対しては防蟻の効果を発揮することはできなかった。
【０００５】
この発明は、上記した従来の欠点を解決するためになされたものであり、その目的とするところは、製造コストを下げることができ、かつ、管の内外において有害生物を防除することができる、合成樹脂製の管の製造方法を提供することにある。
【課題を解決するための手段】
【０００６】
この発明に係る合成樹脂製の管の製造方法は、前記目的を達成するために、次の構成からなる。すなわち、
請求項１に記載の発明に係る合成樹脂製の管の製造方法は、外層、内層および中間層を有する管壁を備え、前記中間層を除く前記外層および前記内層のみが、有害生物を防除する防除層からなる、合成樹脂製の管の製造方法である。この製造方法は、前記外層を、有害生物を防除する防除剤と、ベースとなる合成樹脂材料とを混練して成形するとともに、前記中間層を、合成樹脂材料により成形して、これら外層と中間層とを備える管本体を形成し、かつ、前記内層を、前記中間層の内面となる前記管本体の内面に、有害生物を防除する防除剤を含有する塗布液を塗布してその塗布液を硬化させて被膜化して形成する。
【０００７】
この合成樹脂製の管の製造方法によると、外層と内層が、有害生物を防除する防除層からなることで、管の内外において有害生物を防除することができる。そして、中間層が、防除層でないことから、管におけるコスト高となる防除層の領域を減らすことができる。
【０００８】
また、請求項２に記載の発明に係る合成樹脂製の管の製造方法は、請求項１に記載の合成樹脂製の管の製造方法において、前記外層と前記中間層とを備える管本体を、ブロー成形により形成し、そのブロー成形時に、前記塗布液を内部に噴出することにより、その塗布液を前記管本体の内面に塗布して、前記内層を形成する。
【発明の効果】
【０００９】
この発明に係る合成樹脂製の管の製造方法によれば、中間層を除く外層および内層のみが、有害生物を防除する防除層からなることで、管におけるコスト高となる防除層の領域を減らして製造コストを下げることができ、かつ、管の内外において有害生物を防除することができる。
【図面の簡単な説明】
【００１０】
【図１】この発明の一実施の形態の、管の断面図である。
【発明を実施するための形態】
【００１１】
以下、この発明に係る合成樹脂製の管の製造方法を実施するための形態を図面に基づいて説明する。
【００１２】
図１は、本発明に係る合成樹脂製の管の製造方法の一実施の形態を示す。図中符号１は、有害生物を防除する防除性を備える合成樹脂製の管を示す。
【００１３】
この管１は、例えば、配線・配管材（配線材または配管材）を収容保護する管であって、地中に埋設されたり、コンクリート構造物内に埋設されたり、あるいは露出して配設されたりする。ここで、管１は、外層２、内層３および中間層４を有する管壁を備える。そして、管１は、中間層４を除く外層２および内層３のみが、有害生物を防除する防除層からなる。
【００１４】
ここで、外層２の肉厚と内層３の肉厚は、それぞれ、中間層４の肉厚と同一またはそれより薄くなっている。詳細には、内層３の肉厚は、中間層４の肉厚と同一またはそれより薄く、外層２の肉厚は、内層３の肉厚と同一またはそれより薄くなっている。すなわち、内層３は、管１に配線・配管材を挿通する際の内面の擦り傷の深さが中間層４に達することがないだけの肉厚を有すればよく、その肉厚は、中間層４の肉厚と同一またはそれより薄くて構わない。そして、管１の外面（外層２の表面）は、内面（内層３の表面）ほどは傷付くことはなく、このため、外層２の肉厚は、内層３の肉厚と同一またはそれより薄くて構わない。
【００１５】
具体的には、管１は、可撓性を備える波付管からなる。そして、管１は、管壁が、外層２と内層３と中間層４との三層からなる。
【００１６】
外層２および内層３（つまり、防除層）は、有害生物を防除する防除剤を含有して形成される。詳細には、外層２と内層３は、それぞれ、有害生物を防除する防除剤が、例えばマイクロカプセルに封入されて、ベースとなる塩化ビニル樹脂とかポリエチレン樹脂等の合成樹脂材料とともに混練されて成形される。そして、外層２には、カーボンが含有される。一方、中間層４は、有害生物を防除する防除剤を含有することなく、塩化ビニル樹脂とかポリエチレン樹脂等の合成樹脂材料により成形される。
【００１７】
ところで、外層２および内層３における前記防除剤は、白蟻の食害を防ぐための防虫剤、つまり防蟻剤であって、その防蟻剤の成分は、例えば、クロチアニジン等のネオニコチノイド系化合物であったり、また、ピレスロイド系化合物、有機リン剤、カーバメート剤、ホウ素化合物、あるいはフッ素化合物等であったりする。すなわち、外層２および内層３は、防除層としての防蟻層からなり、それら防蟻層は、防蟻剤を含有して形成される。
【００１８】
次に、以上の構成からなる合成樹脂製の管１の作用効果について説明する。この合成樹脂製の管１によると、外層２と内層３が、有害生物を防除する防除層からなることで、管１の内外において有害生物を防除することができる。そして、中間層４が、防除層でないことから、管１におけるコスト高となる防除層の領域を減らすことができる。すなわち、この合成樹脂製の管１によれば、中間層４を除く外層２および内層３のみが、有害生物を防除する防除層からなることで、管１におけるコスト高となる防除層の領域を減らして製造コストを下げることができ、かつ、管１の内外において有害生物を防除することができる。
【００１９】
また、外層２および内層３が、防除剤としての防蟻剤を含有して形成されることで、白蟻が、管１の外面とか内面伝いに進行して家屋等に侵入したり、管１の外層２や内層３を食い破ったりするのを防ぐことができる。
【００２０】
また、外層２および内層３の肉厚は、それぞれ、中間層４の肉厚と同一またはそれより薄くなっていたり、内層３の肉厚は、中間層４の肉厚と同一またはそれより薄く、外層２の肉厚は、内層３の肉厚と同一またはそれより薄くなっている。こうして、防蟻層（防除層）からなる外層２および内層３の肉厚を制限することで、管１におけるコスト高となる防蟻層（防除層）の領域を確実に減らすことができる。
【００２１】
また、外層２には、カーボンが含有される。このため、管１は、耐紫外線特性が向上し、管１が、外光下に配設された場合であっても、その管１の劣化を防いで、外層２における白蟻を防除する防蟻効果（有害生物を防除する防除効果）の低下を防止することができる。
【００２２】
なお、本発明は、上述した実施の形態に限定されるわけではなく、その他種々の変更が可能である。例えば、外層２および内層３における防除剤は、有害生物を防除するものであればよく、防蟻剤に限らず、防虫剤であったり、例えばカプサイシン類等を成分とする防鼠剤、その他の薬剤であってもよい。すなわち、防除層は、防蟻層でなくとも、防虫層であったり防鼠層等であったりしてもよい。
【００２３】
また、外層２と内層３（つまり、防除層）は、それぞれ、有害生物を防除する防除剤が、ベースとなる合成樹脂材料とともに混練されて成形されるが、その他に、外層２と内層３の両方、あるいはいずれか一方は、中間層４の外面とか内面に、防除剤を含有する塗布液が塗布されてその塗布液が硬化して被膜化されて形成されてもよい。ここで、塗布液は、例えば合成樹脂等に防除剤を混合したもの、詳細には、バインダー樹脂と揮発性溶剤と防除剤とを含むものであって、塗布後に、揮発性溶剤が揮発することで、塗布液は、硬化して被膜化される。そして、この合成樹脂製の管１の製造にあたっては、中間層４を含む管本体を、ブロー成形により形成し、そのブロー成形時に、前記塗布液を外部とか内部に噴出することにより、塗布液を管本体の外面とか内面に塗布して、外層２とか内層３を形成することができる。
【００２４】
また、外層２および内層３は、防除層としての防蟻層からなるが、これら防蟻層は、ナイロン樹脂によって形成されてもよい。すなわち、ナイロン樹脂によって形成された外層２および内層３は、硬く、白蟻がこの外層２や内層３を容易には食い破ることができない。ここで、仮に、管１の外側から、白蟻が外層２と中間層４とを食い破ることができたとしても、その内側にある内層３が防蟻層であることから、白蟻によるさらなる侵食をくい止めることができる。こうして、外層２と内層３が、白蟻（有害生物）を防除する防蟻層（防除層）からなることで、管１の内外において白蟻を防除することができる。そして、中間層４が、防蟻層（防除層）でないことから、管１におけるコスト高となる防蟻層の領域を減らすことができる。すなわち、この合成樹脂製の管１によれば、中間層４を除く外層２および内層３のみが、白蟻（有害生物）を防除する防蟻層（防除層）からなることで、管１におけるコスト高となる防蟻層の領域を減らして製造コストを下げることができ、かつ、管１の内外において白蟻を防除することができる。また、外層２および内層３のみがナイロン樹脂によって形成されることで、管１の全体がナイロン樹脂で形成される場合よりも、管１の可撓性を高めることができる。また、外層２となる防蟻層（防除層）が、防蟻剤（防除剤）を含有しなければ、その防蟻剤（防除剤）が土壌等に溶け出す虞がない。
【００２５】
また、外層２および内層３となる防蟻層は、ポリオレフィン系樹脂に滑剤を添加して形成されてもよい。すなわち、ポリオレフィン系樹脂に滑剤を添加して形成された外層２および内層３の表面は、滑り易く、白蟻がこの外層２や内層３を容易には食い破ることができない。ここで、仮に、管１の外側から、白蟻が外層２と中間層４とを食い破ることができたとしても、その内側にある内層３が防蟻層であることから、白蟻によるさらなる侵食をくい止めることができる。こうして、外層２と内層３が、白蟻（有害生物）を防除する防蟻層（防除層）からなることで、管１の内外において白蟻を防除することができる。そして、中間層４が、防蟻層（防除層）でないことから、管１におけるコスト高となる防蟻層の領域を減らすことができる。すなわち、この合成樹脂製の管１によれば、中間層４を除く外層２および内層３のみが、白蟻（有害生物）を防除する防蟻層（防除層）からなることで、管１におけるコスト高となる防蟻層の領域を減らして製造コストを下げることができ、かつ、管１の内外において白蟻を防除することができる。また、外層２となる防蟻層（防除層）が、防蟻剤（防除剤）を含有しなければ、その防蟻剤（防除剤）が土壌等に溶け出す虞がない。ここで、ポリオレフィン系樹脂としては、例えば、ポリエチレン樹脂とかポリプロピレン樹脂等が挙げられるが、それらに限定されるものではない。そして、滑剤としては、例えば、フッ素系とかシリコーン系とか、あるいは脂肪酸アミド系等の滑剤が挙げられるが、それらに限定されるものではないのは勿論である。
【００２６】
また、外層２となる防蟻層は、ナイロン樹脂によって形成され、あるいは、ポリオレフィン系樹脂に滑剤を添加して形成され、内層３となる防蟻層は、防蟻剤を含有して形成されてもよい。こうして、ナイロン樹脂によって形成された外層２の場合は、その外層２は、硬く、白蟻がその外層２を容易には食い破ることができず、ポリオレフィン系樹脂に滑剤を添加して形成された外層２の場合は、その外層２の表面は、滑り易く、白蟻がその外層２を容易には食い破ることができない。そして、内層３が、防蟻剤を含有して形成されることで、白蟻が、管１の内面伝いに進行して家屋等に侵入したり、管１の内層３を食い破ったりするのを防ぐことができる。ここで、仮に、管１の外側から、白蟻が外層２と中間層４とを食い破ることができたとしても、その内側にある内層３が防蟻層であることから、白蟻によるさらなる侵食をくい止めることができる。こうして、外層２と内層３が、白蟻（有害生物）を防除する防蟻層（防除層）からなることで、管１の内外において白蟻を防除することができる。そして、中間層４が、防蟻層（防除層）でないことから、管１におけるコスト高となる防蟻層の領域を減らすことができる。すなわち、この合成樹脂製の管１によれば、中間層４を除く外層２および内層３のみが、白蟻（有害生物）を防除する防蟻層（防除層）からなることで、管１におけるコスト高となる防蟻層の領域を減らして製造コストを下げることができ、かつ、管１の内外において白蟻を防除することができる。また、内層３が防蟻剤（防除剤）を含有するものの、その防蟻剤は、中間層４に遮られて、外部の土壌等に溶け出す虞がない。つまり、中間層４が、防蟻剤（防除剤）の流出を防止する流出防止層となる。
【００２７】
また、外層２および内層３における、上述した種々の防蟻層（防除層）は、その組み合わせは任意であり、上述した組み合わせに限定されるものではない。
【００２８】
また、外層２および内層３の肉厚は、上述した範囲に限定されるものではないのは勿論である。
【００２９】
また、外層２には、カーボンが含有されるが、このカーボンは、含有されなくともよい。
【００３０】
また、中間層４は、単層でなくとも、材料の異なる複数層からなっていてもよい。
【００３１】
また、管１は、配線・配管材を収容保護するものでなくとも、管内に水を流すドレンホース等であってもよい。また、管１は、波付管からなるが、この波付管は、その波を構成する凹部および凸部が、リング状に形成される以外に、螺旋状に形成されてもよい。また、この管１は、波付管でなくとも、平滑管であってもよい。また、管１は、可撓性を備えるが、この可撓性を備えなくともよい。
【符号の説明】
【００３２】
１  管
２  外層
３  内層
４  中間層
【図１】
2020008174.tif 000003